(57)【要約】【課題】耐久信頼性を向上することができるダイナミックダンパ及びプロペラシャフトを提供する。【解決手段】内環部材２９の軸方向一方側から径方向内側に向かってインナーウエイト２４を圧入すると、縮径部３８にはインナーウエイト２４の外周面から径方向外側に向かう押圧力が作用して拡径する。これにより、各弾性支持部３６が縮径部３８によって径方向内側から径方向外側に向かって押圧されて各弾性支持部３６には圧縮応力が作用する。ここで、第１プロペラシャフト１０が回転してインナーウエイト２４が外環部材２８に対して偏心運動すると、弾性支持部３６のうち一部の弾性支持部には圧縮応力が作用し、他の弾性支持部には引張応力が作用するが、弾性支持部３６には初期圧縮応力が作用しているため、圧縮応力と相殺されることになる。【選択図】      図３
2009079626.tif 000002
【特許請求の範囲】
【請求項１】
径方向外側に位置する外筒部材と、前記外筒部材の径方向内側に位置する内筒部材と、前記内筒部材の径方向内側に位置する錘部材と、前記外筒部材と前記内筒部材との間に位置する弾性部材と、を有するダイナミックダンパであって、
前記弾性部材には、径方向に延び前記錘部材を弾性支持する弾性支持部が周方向に沿って所定の間隔をあけて複数形成され、
前記内筒部材には、前記錘部材が前記内筒部材の径方向内側に圧入されたときに前記弾性支持部に圧縮応力を作用させる押圧部が形成されていることを特徴とするダイナミックダンパ。
【請求項２】
前記押圧部は、前記内筒部材の一部を縮径させて形成した縮径部であることを特徴とする請求項１に記載のダイナミックダンパ。
【請求項３】
請求項１又は２に記載のダイナミックダンパを、中空のシャフト部材の内部に圧入して固定したことを特徴とするプロペラシャフト。
【発明の詳細な説明】
【技術分野】
【０００１】
本発明は、自動車などの車両に用いられるプロペラシャフトの内部に設けられるダイナミックダンパ及びこのダイナミックダンパを備えたプロペラシャフトに関する。
【背景技術】
【０００２】
従来からプロペラシャフトの中には、内部にダイナミックダンパが設けられたものが知られている（下記特許文献１参照）。すなわち、車両の前部に搭載された内燃機関の出力は、一般に変速機を経てプロペラシャフトにより後方の駆動輪に伝達されるが、このプロペラシャフトの特性は車両の振動に大きな影響を与えるため、プロペラシャフトの内部にダイナミックダンパを装着しダイナミックダンパで振動を減衰することにより、プロペラシャフトの振動特性を改善することができる。
【０００３】
ここで、図１０に示すように、ダイナミックダンパ１００は、径方向外側に位置するスチール製の外筒部材１０２と、外筒部材１０２の径方向内側に位置する錘部材１０４と、外筒部材１０２と錘部材１０４との間に配置された弾性部材１０６と、外筒部材１０２の径方向外側表面に取り付けられた圧入用ゴム部材１０８と、で構成されている。特に、弾性部材１０６は、径方向に延びる５本の弾性支持部１１０が円周方向に沿って所定の間隔をあけて形成されている。
【特許文献１】特許第３１９５９４９号特許公報
【発明の開示】
【発明が解決しようとする課題】
【０００４】
ところで、プロペラシャフトが回転駆動し、ある所定回転数に到達すると、ダイナミックダンパが機能して、錘部材が外筒部材に対して偏心運動する。錘部材が外筒部材に対して偏心すると、弾性部材の５本の弾性支持部のうちの一部の弾性支持部には引張応力が作用し、他の弾性支持部には圧縮応力が作用する。この状況において、ダイナミックダンパの使用頻度及び使用期間が長くなり、かつ弾性部材の弾性支持部に対して作用する引張応力が所定の大きさになると、弾性支持部が剥離し破断する恐れがある。このように、ダイナミックダンパの弾性支持部の耐久性が低下するという問題がある。
【０００５】
そこで、本発明は、上記事情を考慮し、耐久信頼性を向上することができるダイナミックダンパ及びプロペラシャフトを提供することを目的とする。
【課題を解決するための手段】
【０００６】
請求項１に記載の発明は、径方向外側に位置する外筒部材と、前記外筒部材の径方向内側に位置する内筒部材と、前記内筒部材の径方向内側に位置する錘部材と、前記外筒部材と前記内筒部材との間に位置する弾性部材と、を有するダイナミックダンパであって、前記弾性部材には、径方向に延び前記錘部材を弾性支持する弾性支持部が周方向に沿って所定の間隔をあけて複数形成され、前記内筒部材には、前記錘部材が前記内筒部材の径方向内側に圧入されたときに前記弾性支持部に圧縮応力を作用させる押圧部が形成されていることを特徴とする。
【０００７】
請求項２に記載の発明は、請求項１に記載のダイナミックダンパにおいて、前記押圧部は、前記内筒部材の一部を縮径させて形成した縮径部であることを特徴とする。
【０００８】
請求項３に記載の発明は、請求項１又は２に記載のダイナミックダンパを、中空のシャフト部材の内部に圧入して固定したプロペラシャフトであることを特徴とする。
【発明の効果】
【０００９】
請求項１に記載の発明によれば、錘部材が内筒部材の径方向内側に圧入されたときに、内筒部材の押圧部により弾性支持部に圧縮荷重が作用する。そして、弾性部材の弾性支持部には常に初期圧縮応力が作用している状態になるため、錘部材が外筒部材に対して偏心し弾性支持部に対して引張応力が作用した場合でも、その引張応力と初期圧縮応力が相殺されて、弾性支持部に作用する引張応力を小さくすることができる。この結果、弾性部材の各弾性支持部の破断を防止して、弾性部材の耐久信頼性を向上することができる。
【００１０】
請求項２に記載の発明によれば、押圧部は、内筒部材の一部を縮径させて形成した縮径部であるため、内筒部材の内周面から径方向内側に向かって突出している。そして、内筒部材の径方向内側に錘部材を圧入すると、内筒部材の内周面から径方向内側に向かって突出した縮径部には、錘部材から径方向外側に向かう圧力が作用する。このため、縮径部は、僅かながら圧縮変形するとともに、錘部材により径方向外側に押し出される。これにより、内筒部材の縮径部の径方向反対側に位置する外周面に接触した弾性部材の弾性支持部が径方向外側に押される。この結果、錘部材が内筒部材の径方向内側に圧入された状態で、弾性部材の弾性支持部に圧縮応力が作用した状態となる。このように、内筒部材の一部を縮径させるという簡易な構成で、弾性支持部に圧縮応力を作用させる押圧部を容易に形成することができるとともに、弾性部材の弾性支持部に対して確実に圧縮応力を作用させることができる。
【００１１】
請求項３に記載の発明によれば、錘部材が内筒部材の径方向内側に圧入されたときに、内筒部材の押圧部により弾性支持部に圧縮荷重が作用する。そして、弾性部材の弾性支持部には常に初期圧縮応力が作用している状態になるため、錘部材が外筒部材に対して偏心し弾性支持部に対して引張応力が作用した場合でも、その引張応力と初期圧縮応力が相殺されて、弾性支持部の引張応力を小さくすることができる。この結果、弾性部材の弾性支持部の破断を防止して、弾性部材及びプロペラシャフトの耐久信頼性を向上することができる。
【発明を実施するための最良の形態】
【００１２】
次に、本発明の第１実施形態に係るダイナミックダンパ及びプロペラシャフトについて、図面を参照して説明する。図１は、車両の動力伝達機構の一部を示しており、部分的に省略して第１プロペラシャフトと第２プロペラシャフトの連結した状態を示している。
【００１３】
図１に示すように、第１プロペラシャフト１０の前端は、クロスジョイント１２を介して内燃機関の出力側に連結されている。第２プロペラシャフト１４は、リング状のベアリングサポート１６に弾性的に回転自在に支持された前部が第１プロペラシャフト１０とトリポード型の等速自在継手１８によって連結されて構成されている。また、第２プロペラシャフト１４の後端は、クロスジョイント２０を介して次段の動力伝達部材に連結されている。
【００１４】
次に、ダイナミックダンパ２２の詳細な構造について説明する。
【００１５】
図２及び図３に示すように、第１プロペラシャフト１０を構成する中空状のシャフト部材３０（図１参照）の内部には、ダイナミックダンパ２２が装着されている。このダイナミックダンパ２２は、円筒状の外環部材（外筒部材）２８と、外環部材２８の径方向内側に位置する円筒状の内環部材（内筒部材）２９と、外環部材２８と内環部材２９との間に配置され両者を連結するゴム部材（弾性部材）２６と、内環部材２９の径方向内側に向かって軸方向から圧入される円柱状のインナーウエイト（錘部材）２４と、外環部材２８の外周面に設けられた圧入用ゴム部材３１と、で構成されている。
【００１６】
ここで、ゴム部材２６は、内環部材２９の外周面に接触する内側接触部３２と、外環部材２８の内周面に接触する外側接触部３４と、内側接触部３２と外側接触部３４との間でインナーウエイト２４を弾性支持する弾性支持部３６と、で構成されている。特に、この弾性支持部３６は、インナーウエイト２４の外周方向にわたって５箇所に配置されている。
【００１７】
図３に示すように、内環部材２９の軸方向中央部又はその近傍には、内環部材２９の他の部位の径と比較して、小さくなるように縮径された縮径部３８が形成されている。この縮径部３８は、円筒環を絞り加工により、成形時に内環部材２９に縮径部３８が形成できるようにしてもよく、また、円筒環をプレス加工により、内環部材２９の外周面から径方向内側に向かって圧力を加え、縮径部３８を形成してもよい。
【００１８】
また、縮径部３８は、内環部材２９の内周面の周方向にわたって連続するように形成されている。そして、縮径部３８は、ゴム部材２６の各弾性支持部３６に対応した位置に、形成されている。すなわち、縮径部３８は、各弾性支持部３６の径方向に延びる延長線上に位置するように形成されている。
【００１９】
さらに、内環部材２９の縮径部３８以外の部位の内径は、インナーウエイト２４の外径と略同じ寸法となるように形成されている。よって、内環部材２９の縮径部３８の内径は、インナーウエイト２４の外径よりも小さくなるように形成されている。
【００２０】
かかる構成のダイナミックダンパ２２は、第１プロペラシャフト１０の内部に圧入されることにより第１プロペラシャフト１０の所定位置に装着される。ダイナミックダンパ２２が第１プロペラシャフト１０の内部に圧入されると、圧入用ゴム部材３１が弾性変形することにより、各構成部材に寸法誤差が生じていた場合でも、圧入用ゴム部材３１の弾性変形で第１プロペラシャフト１０および各構成部材の寸法誤差を吸収することができる。
【００２１】
次に、本発明の第１実施形態に係るダイナミックダンパ及びプロペラシャフトの作用について説明する。
【００２２】
図２及び図３に示すように、内環部材２９の軸方向一方側から径方向内側に向かってインナーウエイト２４を圧入すると、内環部材２９の縮径部３８の内径がインナーウエイト２４の外径よりも小さいため、縮径部３８には、インナーウエイト２４の外周面から径方向外側に向かう押圧力が作用する。
【００２３】
縮径部３８にインナーウエイト２４の外周面から径方向外側に向かう押圧力が作用すると、縮径部３８は僅かに圧縮変形するとともに、縮径部３８が内環部材２９の径方向外側に向かって押し出される。縮径部３８が内環部材２９の径方向外側に向かって押し出されると、縮径部３８の径方向外側にはゴム部材２６の各弾性支持部３６が位置しているため、各弾性支持部３６が縮径部３８によって径方向内側から径方向外側に向かって押圧される。一方、ゴム部材２６の径方向外側には外環部材２８が位置しているため、ゴム部材２６の径方向外側への移動が制限される。これにより、ゴム部材２６は、径方向内側から径方向外側に向かう押圧力を受けるとともに、径方向外側に移動できなくなるため、ゴム部材２６の各弾性支持部３６には、所定の圧縮荷重が作用する。この結果、ゴム部材２６の各弾性支持部３６には、所定の圧縮応力が作用した力学状態になる。
【００２４】
ここで、第１プロペラシャフト１０が回転してシャフト部材３０が回転すると、インナーウエイト２４が外環部材２８に対して偏心する。インナーウエイト２４が外環部材２８に対して偏心すると、５本のゴム部材２６の弾性支持部３６のうち一部の弾性支持部には圧縮応力が作用し、他の弾性支持部には引張応力が作用する。さらに、この偏心運動が第１プロペラシャフト１０の所定の回転速度に応じて繰り返されることになる。
【００２５】
インナーウエイト２４が内環部材２９に圧入されている状態では、５本の弾性支持部３６の全てに圧縮応力が作用しているため、上述のように、引張応力が作用しても、圧縮応力と相殺されることになる。すなわち、弾性支持部３６は、径方向に縮んだ状態となっているため、弾性支持部３６に引張応力が作用しても、弾性支持部３６の引張変形が軽減される。このように、ゴム部材２６の弾性支持部３６に作用する引張応力を小さく押さえるため、ゴム部材２６の各弾性支持部３６が引張応力により破断してしまうことを防止できる。特に、ゴム部材２６は、圧縮応力よりも引張応力が作用した場合に破断し易くなる性質があるが、本実施形態では、ゴム部材２６のかかる性質を利用して、ゴム部材２６に予め初期圧縮応力を作用させることにより、引張応力に対する弱さ・脆さを克服したものである。この結果、ゴム部材２６の耐久性を向上することができ、ひいてはダイナミックダンパ２２の製品耐久性を向上することができる。
【００２６】
以上のように、第１実施形態によれば、ゴム部材２６の各弾性支持部３６に作用する引張応力を低減させる効果と、シャフト部材３０と外環部材２８の径寸法の誤差を圧入用ゴム部材３１の弾性変形により吸収してダイナミックダンパ２２をシャフト部材３０の内部に容易に圧入できる効果と、圧入用ゴム部材３１の弾性力によりダイナミックダンパ２２をシャフト部材３０の内部で強固に固定することができる効果の３つの効果を同時に実現することができる。
【００２７】
次に、本発明の第２実施形態に係るダイナミックダンパ及びプロペラシャフトについて、図面を参照して説明する。なお、本発明の第１実施形態に係るプロペラシャフトの構成と重複する構成については同符号を付し、その説明を適宜省略する。
【００２８】
図４乃至図６に示すように、第２実施形態に係るプロペラシャフトに適用されるダイナミックダンパ４０の外環部材２８の径方向内側表面には、凹部４２が形成されている。この凹部４２には、ゴム部材２６の各弾性支持部３６と対応するように形成されており、凹部４２の内部にゴム部材２６の後述の突出部４４が入り込み凹部４２と係合している。さらに、外環部材２８の径方向外側表面には、凸部４６が形成されている。この凸部４６は、外環部材２８の径方向内側表面に形成された凹部４２と対向する位置に形成されている。外環部材２８の外径がシャフト部材３０の内径よりも大きく設定されているので、外環部材２８がシャフト部材３０の内部に圧入されると、外環部材２８の外周面にはシャフト部材３０の内周面から押圧力が作用するが、外環部材２８の凸部４６に作用する押圧力は、外環部材２８の凸部４６以外の部位に作用する圧力と比較して、とりわけ大きくなる。
【００２９】
また、ゴム部材２６の各弾性支持部３６の径方向外側には、突出部４４が一体形成されている。この突出部４４は、弾性支持部３６から径方向外側に向けて突出するように形成されている。
【００３０】
さらに、図６に示すように、内環部材２９の内周面には、第１実施形態と同様に、縮径部３８が形成されている。なお、外環部材２８の外周面には、圧入用ゴム部材は設けられていない。
【００３１】
第２実施形態によれば、ダイナミックダンパ４０がシャフト部材３０に圧入されると、外環部材２８の外周面にはシャフト部材３０の内周面から径方向内側に向かって押圧され所定の圧力が作用する。本実施形態では、特に、外環部材２８の凸部４６には、大きな圧力が作用する。
【００３２】
外環部材２８の凸部４６に大きな圧力が作用すると、凸部４６の径方向内側に位置するゴム部材２６の突出部４４及び弾性支持部３６には大きな押圧力が作用する。これにより、ゴム部材２６の突出部４４及び弾性支持部３６は、圧縮荷重を受けて、圧縮応力が作用し、径方向に縮んだ状態になっている。
【００３３】
一方、内環部材２９の軸方向外側から径方向内側に向かってインナーウエイト２４を圧入すると、縮径部３８が拡径されて、インナーウエイト２４の外周面から径方向外側に向かう押圧力が作用して、ゴム部材２６の突出部４４及び弾性支持部３６には、所定の圧縮応力が作用する。
【００３４】
このように、ゴム部材２６の突出部４４及び弾性支持部３６には、インナーウエイト２４の圧入により径方向内側から圧縮荷重が作用し、また同時に、ダイナミックダンパ４０のシャフト部材３０に対する圧入により径方向外側から圧縮荷重が作用した力学状態になる。このため、ゴム部材２６の突出部４４及び弾性支持部３６に作用する圧縮応力が格段に大きくなる。これにより、ゴム部材２６の突出部４４及び弾性支持部３６に作用する引張応力を相殺させる圧縮応力がより大きくなるため、ゴム部材２６の突出部４４及び弾性支持部３６に作用する引張応力を大幅に低減させることができる。この結果、ゴム部材２６の耐久性を大幅に向上することができ、ひいてはダイナミックダンパ４０の製品寿命を大幅に向上することができる。
【００３５】
また同時に、ダイナミックダンパ４０をシャフト部材３０に圧入するときに、シャフト部材３０と外環部材２８の径寸法の誤差が存在すれば、その誤差を外環部材２８の凸部４６の弾性変形により吸収することができる。この結果、ダイナミックダンパ４０をシャフト部材３０の内部に容易に圧入することができるとともに、外環部材２８の弾性力により強固に固定することができる。
【００３６】
以上のように、第２実施形態によれば、ゴム部材２６の突出部４４及び弾性支持部３６に作用する引張応力を大幅に低減させる効果と、シャフト部材３０と外環部材２８の径寸法の誤差を外環部材２８の弾性変形により吸収してダイナミックダンパ４０をシャフト部材３０の内部に容易に圧入できる効果と、外環部材２８の弾性力によりダイナミックダンパ４０をシャフト部材３０の内部で強固に固定することができる効果の３つの効果を同時に実現することができる。
【００３７】
次に、本発明の第３実施形態に係るダイナミックダンパ及びプロペラシャフトについて、図面を参照して説明する。なお、本発明の第２実施形態に係るプロペラシャフトの構成と重複する構成については同符号を付し、その説明を適宜省略する。
【００３８】
図７乃至図９に示すように、ダイナミックダンパ５０の外環部材２８には、径方向に貫通した貫通孔５２が形成されている。また、ゴム部材２６の各弾性支持部３６には、外環部材２８の貫通孔５２を径方向内側から径方向外側に向かって貫通して外環部材２８の径方向外側に突出する突出部５４が形成されている。このため、ダイナミックダンパ５０は、外環部材２８の外周面の周方向５箇所から突出部５４が突出した構成になっている。
【００３９】
さらに、図９に示すように、内環部材２９の内周面には、第１実施形態と同様に、縮径部３８が形成されている。なお、外環部材２８の外周面には、圧入用ゴム部材は設けられていない。
【００４０】
第３実施形態によれば、ダイナミックダンパ５０がシャフト部材３０に圧入されると、外環部材２８の外周面はシャフト部材３０の内周面から径方向内側に向かって押圧される。このため、外環部材２８の外周面から突出しているゴム部材２６の各突出部５４には、シャフト部材３０の内周面から大きな押圧力が作用する。
【００４１】
ゴム部材２６の突出部５４に押圧力が作用すると、ゴム部材２６の各突出部５４及び各弾性支持部３６には径方向の圧縮応力が作用することになるため、各突出部５４及び各弾性支持部３６が縮むことになる。このため、ダイナミックダンパ５０がシャフト部材３０に圧入された状態では、ゴム部材２６の各突出部５４及び各弾性支持部３６には初期圧縮応力が作用し、各突出部５４及び各弾性支持部３６が径方向に縮んだ状態になっている。
【００４２】
一方、内環部材２９の軸方向外側から径方向内側に向かってインナーウエイト２４を圧入すると、縮径部３８には、インナーウエイト２４の外周面から径方向外側に向かう圧力が作用して、ゴム部材２６の突出部５４及び弾性支持部３６には、所定の圧縮応力が作用する。
【００４３】
これにより、ゴム部材２６の突出部５４及び弾性支持部３６には、インナーウエイト２４の圧入により径方向内側から圧縮荷重が作用し、また同時に、ダイナミックダンパ５０のシャフト部材３０に対する圧入により径方向外側から圧縮荷重が作用した力学状態になる。この結果、ゴム部材２６の耐久性を大幅に向上することができ、ひいてはダイナミックダンパ５０の製品寿命を大幅に向上することができる。
【００４４】
また同時に、ダイナミックダンパ５０をシャフト部材３０に圧入するときに、シャフト部材３０と外環部材２８の径寸法の誤差が存在すれば、その誤差を外環部材２８の外周面から突出しているゴム部材２６の各突出部５４の弾性変形により吸収することができる。この結果、ダイナミックダンパ５０をシャフト部材３０の内部に容易に圧入することができるとともに、ゴム部材２６の各突出部５４の弾性力により強固に固定することができる。
【００４５】
以上のように、第３実施形態によれば、ゴム部材２６の突出部５４及び弾性支持部３６に作用する引張応力を大幅に低減させる効果と、シャフト部材３０と外環部材２８の径寸法の誤差をゴム部材２６の各突出部５４の弾性変形により吸収してダイナミックダンパ５０をシャフト部材３０の内部に容易に圧入できる効果と、ゴム部材２６の各突出部５４の弾性力によりダイナミックダンパ５０をシャフト部材３０の内部で強固に固定することができる効果の３つの効果を同時に実現することができる。
【図面の簡単な説明】
【００４６】
【図１】本発明の第１実施形態に係るプロペラシャフトの一部を省略した部分的な側面図である。
【図２】本発明の第１実施形態に係るプロペラシャフトに設けられるダイナミックダンパを軸方向に沿って切断した縦断面図である。
【図３】本発明の第１実施形態に係るプロペラシャフトに設けられるダイナミックダンパの内筒部材（内環部材）に錘部材（インナーウエイト）を圧入するときの説明図である。
【図４】本発明の第２実施形態に係るプロペラシャフトに設けられるダイナミックダンパを軸方向に沿って切断した縦断面図である。
【図５】本発明の第２実施形態に係るプロペラシャフトに設けられるダイナミックダンパを軸方向から見た正面図である。
【図６】本発明の第２実施形態に係るプロペラシャフトに設けられるダイナミックダンパの内筒部材（内環部材）に錘部材（インナーウエイト）を圧入するときの説明図である。
【図７】本発明の第３実施形態に係るプロペラシャフトに設けられるダイナミックダンパを軸方向に沿って切断した縦断面図である。
【図８】本発明の第３実施形態に係るプロペラシャフトに設けられるダイナミックダンパを軸方向から見た正面図である。
【図９】本発明の第３実施形態に係るプロペラシャフトに設けられるダイナミックダンパの内筒部材（内環部材）に錘部材（インナーウエイト）を圧入するときの説明図である。
【図１０】従来のプロペラシャフトに設けられるダイナミックダンパを軸方向に沿って切断した縦断面図である。
【符号の説明】
【００４７】
１０      第１プロペラシャフト（プロペラシャフト）
１４      第２プロペラシャフト（プロペラシャフト）
２２      ダイナミックダンパ
２４      インナーウエイト（錘部材）
２６      ゴム部材（弾性部材）
２８      外環部材（外筒部材）
２９      内環部材（内筒部材）
３０      シャフト部材
３６      弾性支持部
３８      縮径部（押圧部）
４０      ダイナミックダンパ
５０      ダイナミックダンパ
【図１】
2009079626.tif 000003
【図２】
2009079626.tif 000004
【図３】
2009079626.tif 000005
【図４】
2009079626.tif 000006
【図５】
2009079626.tif 000007
【図６】
2009079626.tif 000008
【図７】
2009079626.tif 000009
【図８】
2009079626.tif 000010
【図９】
2009079626.tif 000011
【図１０】
2009079626.tif 000012